(57)【要約】【課題】配管の取り付けスペースを小さくして、壁面パネルの裏面のデッドスペースを極力なくすようにした、ユニットルームの配管取付構造を提供する。【解決手段】ユニットルームを構成する壁パネル２０の側端部に形成された係合部Ａに係合させる係合部Ｂを、壁パネル同士２０、２０を連結するための中空柱状の連結部材１に設け、配管Ｐの一部を、その連結部材１に収納して取り付ける構造としている。【選択図】図１
2006207142.tif 000002
【特許請求の範囲】
【請求項１】
ユニットルームを構成する壁パネルの側端部に形成された係合部に係合させて、壁パネル同士を連結する中空柱状の連結部材に、配管の一部を収納させる構造としたことを特徴とするユニットルームの配管取付構造。
【請求項２】
請求項１において、
上記連結部材には切欠き部が形成されており、
上記連結部材に配管取付部材を取り付けて、上記切欠き部に配管の一部を収納させるようにしたユニットルームの配管取付構造。
【請求項３】
請求項１において、
上記連結部材は分割されており、分割された連結部材間に空間を形成して、
上記連結部材に配管取付部材を取り付けて、上記空間に配管の一部を収納させるようにしたユニットルームの配管取付構造。
【請求項４】
請求項２または３において、
上記配管取付部材には、両端に連結部を有した連結管が設けられており、その連結部に配管の端部を着脱自在に取り付けるようにしているユニットルームの配管取付構造。
【発明の詳細な説明】
【技術分野】
【０００１】
本発明は、給水管や給湯管などの配管をユニットルームの壁パネルの室外側に施設する場合に適用される、配管の取付構造に関するものである。
【背景技術】
【０００２】
従来、ユニットルームに通じる給水管、給湯管などの配管は、壁面の裏側空間で壁パネルに沿って施設されている。
また、このようなユニットルームは、取り扱いや施工効率の観点から、複数の壁パネルを連結して構成されており、壁面を構成する複数の壁パネルは、それらの側端部に形成された係合部に、連結部材の係合部を係合させて相互に連結するように構成されている。
【０００３】
次の特許文献には、ユニットルームの壁面を、複数の壁パネルを連結して構成した室外配管の施設例が記載されている。
図９（ａ）は、この種の室外配管の具体例を示した平面図である。
２枚の壁パネル１０１、１０１は、それぞれの側端部に形成した係合部１０２、１０２を当接させ、その部分に連結部材１００の係合部１００ａを嵌着させることにより、面一に連結されており、配管Ｐは、壁パネル１０１の室外空間に略平行に施設され、複数の壁パネル１０１、１０１を跨いで施設する場合には、連結部材１００に触れないように施設される。なお、図中の１０３は断熱基材を示している。
【特許文献１】実用新案登録２５５２３９２号公報
【発明の開示】
【発明が解決しようとする課題】
【０００４】
ところが、壁面パネル１０１を連結した連結部材１００は壁パネル裏面側に大きく突出しているため、図９（ａ）に示しているように、配管は壁パネル１０１に接触しない位置（距離ｌ１）に施設されることになり、そのためパネル裏側空間を含むユニットルーム全体が大きくなり、その裏側空間がデッドスペースになってしまうなどの問題があった。
【０００５】
そこで、図９（ｂ）に示すように、連結部材を使用せずにユニットルームの一壁面を１枚の大型壁パネルで構成するようにしたものも考案されている。このような構造のものでは、連結部材を使用しないために、壁パネル１１０から配管Ｐまでの距離ｌ２も小さくなり、よってパネル裏側空間は大きくならないが、このような１枚パネル方式では、壁パネルの大型化のため輸送効率が悪くなり、大型化と重量増により施工性も悪くなるという問題がある。
【０００６】
本発明は、このような問題を解決するために提案されたもので、その目的は、配管スペースを小さく、かつ壁パネルの裏側空間にデッドスペースが極力形成されないようにした、ユニットルームの配管取付構造を提供することにある。
【課題を解決するための手段】
【０００７】
上記目的を達成するために、請求項１に記載のユニットルームの配管取付構造は、ユニットルームを構成する壁パネルの側端部に形成された係合部に係合させて、壁パネル同士を連結する中空柱状の連結部材に、配管の一部を収納させる構造としている。
【０００８】
請求項２では、連結部材には切欠き部が形成されており、連結部材に配管取付部材を取り付けて、切欠き部に配管の一部を収納させるようにしている。
【０００９】
請求項３では、連結部材は分割されており、分割された連結部材間に空間を形成して、連結部材に配管取付部材を取り付けて、空間に配管の一部を収納させるようにしている。
【００１０】
請求項４では、配管取付部材には、両端に連結部を有した連結管が設けられており、その連結部に配管の端部を着脱自在に取り付けるようにしている。
【発明の効果】
【００１１】
請求項１〜４のユニットルームの配管取付構造は、壁パネル同士を連結する中空柱状の連結部材に配管の一部を収納させるようになっているため、壁パネルの裏側、つまり室外側に配管のためのスペースが多くとられることはなく、デッドスペースもほとんど発生しない。
【００１２】
請求項２では、連結部材には切欠き部を形成し、連結部材に配管取付部材を取り付けて、切欠き部に配管の一部を収納させる構造にしているので、配管は、取付部材にネジ止め等の方法で固定させることができる。また、切欠き部による強度低下も配管取付部材で補うことができる。
【００１３】
請求項３では、連結部材が分割され、分割された連結部材間に空間を形成して、連結部材に配管取付部材を取り付けて、切欠き部に配管を収納させる構造にしているので、配管の径に応じて空間の上下方向の広さを調整することができ、比較的太い配管であっても収納することができる。
【００１４】
請求項４では、配管取付部材は連結管を設けた構造になっているため、施工現場では施設すべき配管の端部を連結管の連結部に接続するだけでよく、そのため、施工作業が簡易にかつ効率的に行える。
【発明を実施するための最良の形態】
【００１５】
以下に、本発明の実施形態について添付図面とともに説明する。なお以下に示した壁パネルは、基材を金属としたものを示しているが、樹脂、セラミックなど、素材は特に限定されるものではない。
【実施例１】
【００１６】
図７は、ユニットルームを構成する壁パネル同士の連結構造を示した説明図である。（ａ）は連結前、（ｂ）は連結状態を示している。
【００１７】
壁パネル２０は、本体基材が金属板（鋼板）で形成されたものである。代表的なものとして、アルミ亜鉛鋼板などの金属板を基材とし、その表面にＰＥＴ樹脂などの表面化粧層を形成したものが採用される。
壁パネル２０の本体２１の側端部は折曲され、縦方向に突条部２２が形成されている。この突条部２２は本体２１から直角に折曲された突合せ端面２２ａと、さらに内側にＶ字状に折曲されて形成された係合片２２ｂとを備えており、隣接する壁パネル２０、２０の突合せ端面２２ａ、２２ａ同士を当接させ、室内壁面を面一にすると、裏面には、係合部（雄）Ａが形成される。
【００１８】
一方、連結部材１は、金属やプラスチック等を素材とし、ユニットルームの外側に向けられる前面１ａと、この前面１ａから連続する側面１ｂ、１ｂと、側面１ｂ、１ｂを通じて連続する背面１ｃとを有しており、背面１ｃの中央は、開口部２ａを形成するようにして、対向する端部を互いに遠ざかる方向に折曲した２つの係合片２、２からなる係合部（雌）Ｂを有した中空柱状の本体部として構成されている。
【００１９】
なお、図中の２３は断熱基材を示しており、連結部材１の取付空間が確保されるように、壁パネル２０の裏面側に取り付けられる。
【００２０】
ユニットルームの四周壁は、浴室ルームを構成する場合には、複数の壁パネル２０、２０、・・・を床パン（不図示）などに立設して構成される。特にユニットルームの一壁面だけに着目した場合にも、その一壁面は、図７に示すように、２枚またはそれ以上の壁パネル２０、２０を連結して構成されている。
このような隣接した壁パネル２０は、上述した突合せ端面２２ａを当接させて形成された係合部（雄）Ａに対して、連結部材１の係合部（雌）Ｂを係合させることによって、壁パネル２０、２０の壁面は面一に連結、結合される（図９の（ａ）（ｂ）参照）。なお、連結部材１は、上方からの挿入、または背面側からの圧入によって、壁パネル２０、２０の係合部（雄）Ａに嵌着される。
【００２１】
本発明は、図１〜図６に示しているように、連結部材１が特徴的な形状を有したものであり、その特徴的な形状によって壁パネル２０の裏面側に施設される配管の一部が連結部材１の一部に収納される構造となっている。
【００２２】
図１は、本発明の配管取付構造の第１例を示した要部分解斜視図である。（ａ）は配管取付前、（ｂ）は配管取付後を示している。なお、説明を容易にするため、本図および後述する図３〜図６では壁パネル２０を省略する。
【００２３】
この配管取付構造例において使用する連結部材１は、前面１ａと、その両側端に連続する側面１ｂ、１ｂ側の一部とを切り取って形成された切欠き部３を有している。この切欠き部３には、配管Ｐを壁パネル２０の裏側で、壁パネル２０に対して水平に施設したときに、配管Ｐの一部が収容されるようになっている。
【００２４】
また、配管取付部材１０は、２枚の固定金具１１、１１からなり、連結部材１のネジ孔４にネジ１４で止着される。それぞれの固定金具１１、１１には、配管孔１２が形成されており、この配管孔１２、１２に配管Ｐを挿通した状態で、配管取付部材１０、１０を連結部材１の側面に、ネジ挿通孔１３を通じてネジ止めすれば、（ｂ）に示したように、連結部材１の切欠き部３に配管Ｐの一部が収納され、かつ配管Ｐは取付固定される。なお、配管Ｐの挿通は配管取付部材１０の取付後であってもよい。
【００２５】
図２は、配管取付後の状態を示した平面図である。
図示するように、配管Ｐを切欠き部３に収納した状態では、配管Ｐが連結部材１よりはみ出ないので、壁パネル２０から配管Ｐまでの距離Ｌは連結部材１までの厚み程度となり、そのため配管スペースは多くとられない。よって、裏側空間のデッドスペースもほとんど発生しない。なお本例では、切欠き部３は配管Ｐの径全体を収納するようにしているが、径の一部を収納する程度の深さであってもよい。
また、配管取付部材１０を連結部材１にネジ止めしているため、配管Ｐを取付固定することができるとともに、切欠き部３による強度低下を補うこともできる。
なお、連結部材１には、複数の配管Ｐを配設するために複数の切欠き部３を形成するようにしてもよい。
【００２６】
図３は配管取付部材を構成する固定金具の別例を示している。この固定金具１１Ａは、配管挿入口１２Ａを備えており、そこから配管Ｐを挿入させて配管孔１２に落とし込むように形成されている。
【００２７】
この固定金具１１Ａは、連結部材１への取付後に配管Ｐを収容する場合に適している。すなわち、先に、固定金具１１Ａを連結部材１へ取り付けておいてから、配管挿入口１２Ａ内に配管Ｐを差し入れて収納できるので、壁パネルの施工作業と配管Ｐの施設作業とを分離して行うことができ、作業性を向上することができる。
【００２８】
以上の例では、連結部材１として横断面が略四角形のものを示したが、これには限定されず、他の形状であってもよい。また、配管取付部材１０を構成する固定金具１１の個数は、２枚に限定されない。たとえば、円柱状の連結部材に、横断面が弧状の固定金具で配管Ｐを収納、固定させるような構成であってもよい。
【００２９】
図４は、本発明の配管取付構造の第２例を示した要部分解斜視図である。（ａ）は配管取付前、（ｂ）は配管取付後を示している。
【００３０】
この例に示した連結部材１は、複数の分割部材１（＃１）、１（＃２）、・・・から構成される。個々の部材は、前述した例と同様に、前面１ａ、側面１ｂ、１ｂ、背面１ｃおよび係合部（雌）Ｂを含んで構成されている。
各分割部材１（＃ｎ）は、壁パネルに対して、縦方向に所定の空間５を形成保持した状態で取り付けられる。この空間５には、配管Ｐを施設したときに配管Ｐの一部が収納される。
【００３１】
また、配管取付部材１０は、第１例と同様に２枚の固定金具１１、１１からなり、それぞれの固定金具１１は配管孔１２が設けられている。この配管孔１２、１２に配管Ｐを挿通した状態で、配管取付部材１０、１０を上分割部材１（＃１）と下分割部材１（＃２）にネジ１４で止着すれば、配管Ｐの一部は分割部材間に形成された空間５に収納され、かつ配管Ｐは取付固定される。
【００３２】
この例の構成によっても、配管スペースは多くとられず、また、デッドスペースもほとんど発生しない。また、配管取付部材１０を連結部材１にネジ止めしているため、配管Ｐを取付固定することができるとともに、分割された連結部材１は配管取付部材１０によって１つの連結部材として結合されるため、強度も確保できる。
【００３３】
また、連結部材１が分割されているため、上、下分割部材１（＃１）、１（＃２）を上下に移動させることによって、配管Ｐの径に応じた収容空間を形成することができ、そのため比較的太い配管Ｐであっても収納することができる。また、複数の配管Ｐを施設する場合にも調整が容易である。
【００３４】
図５、図６は、本発明の配管取付構造の第３、第４例を示した要部分解斜視図である。第３例は切欠き部３を有した連結部材１を、第４例は分割された連結部材１を使用したものを示している。それぞれの（ａ）は配管取付部材の取付前、（ｂ）は取付後を示している。
【００３５】
これらの例の特徴は、配管取付部材１０が、配管Ｐが容易に着脱できるように両端にネジ部などの連結部１５ａ、１５ａを有した連結管１５、１５を備えていることにある。つまり、配管取付部材１０は、連結管１５、１５を構成に含んだ配管連結ユニット１０Ａを構成している。
【００３６】
このような構造によれば、第３例の場合は工場であらかじめ連結部材１の切欠き部３に配管連結ユニット１０Ａを溶接等で取り付けておけば、また第４例の場合は分割された連結部材１間を配管連結ユニット１０Ａで連結しておけば、施工現場では配管Ｐを連結部１５ａに接続するだけでよく、そのため、現場での配管作業が効率的に行える。
【００３７】
なお、図中のＰ１は連結部１５ａと配管Ｐとを接続するための袋ナットを、Ｐ２は止水用のゴムパッキンを示している。
【００３８】
図８は、壁パネルのコーナー連結の連結構造を示した図である。
コーナー連結で使用される連結部材１Ａは、図示するように、平面連結用の連結部材とは形状が異なるが、係合片２Ａ、２Ａを、コーナーで隣接する壁パネル２０、２０の突条部２２、２２に係合させて、両パネルを連結するような構造となっている。
【００３９】
このようなコーナー連結用の連結部材１Ａにも、切欠き部（不図示）を形成して配管Ｐを収納させるようにしてもよい。また、コーナー連結用の連結部材１Ａを分割して、配管Ｐの収納空間を形成するようにしてもよい。つまり、上述した第１〜第４例の連結部材と同様にして構成できる。
【００４０】
このように、配管Ｐの収納構造をコーナー連結部材１Ａにも適用すれば、配管Ｐを壁パネル２０のコーナーで折り曲げて配設する場合に、無駄なスペースを形成することなく、配管スペースを小さくすることができる。
【図面の簡単な説明】
【００４１】
【図１】本発明の配管取付構造の第１例の要部分解斜視図である。（ａ）は配管取付前、（ｂ）は配管取付後を示す。
【図２】連結部材に対して配管を取り付けた状態を示した平面図である。
【図３】配管取付部材の他例を示す図である。
【図４】本発明の配管取付構造の第２例の要部分解斜視図である。（ａ）は配管取付前、（ｂ）は配管取付後を示す。
【図５】本発明の配管取付構造の第３例の要部分解斜視図である。（ａ）は配管取付部材の取付前、（ｂ）は取付後を示す。
【図６】本発明の配管取付構造の第４例の要部分解斜視図である。（ａ）は配管取付部材の取付前、（ｂ）は取付後を示す。
【図７】隣接する壁パネル同士の連結方法を示した斜視図である。（ａ）は連結部材の装着前、（ｂ）は装着後を示す。
【図８】壁パネルのコーナー連結構造を示す略図である。
【図９】従来の壁パネル裏面側の配管を示した図である。（ａ）は壁パネル連結を行うもの、（ｂ）は大型壁パネルを使用するものを示す。
【符号の説明】
【００４２】
１      連結部材
２      係合片
Ｂ      係合部（雌）
３      切欠き部
４      ネジ孔
５      空間
１０      配管取付部材
１０Ａ      配管取付部材（配管取付ユニット）
１１      固定金具
１２      配管孔
１３      ネジ挿通孔
１４      ネジ
１５      連結管
１５ａ      連結部
２０      壁パネル
２２      突条部
２２ａ      突合せ端面
２２ｂ      係合片
Ａ      係合部（雄）
Ｐ      配管
【図１】
2006207142.tif 000003
【図２】
2006207142.tif 000004
【図３】
2006207142.tif 000005
【図４】
2006207142.tif 000006
【図５】
2006207142.tif 000007
【図６】
2006207142.tif 000008
【図７】
2006207142.tif 000009
【図８】
2006207142.tif 000010
【図９】
2006207142.tif 000011